(57)【要約】【課題】発電所システムにおける水素純度を制御するためのシステムを提供する。【解決手段】一実施形態においては、発電機ハウジング（３１２）用の水素制御システム（２００）が、発電機ハウジング（３１２）に流体的に接続された質量流量制御システム（１００）であって、発電機ハウジング（３１２）から抽出されたガス混合物の流量を測定し、ガス混合物の流量をある流量範囲に渡って変更するように構成された質量流量制御システム（１００）と、質量流量制御システム（１００）に流体的に接続された排気口導管（１０８）であって、質量流量制御システム（１００）からガス混合物の一部を受け取り、ガス混合物の一部を出口に送るための排気口導管（１０８）と、を備える。【選択図】図２
2011182635.tif 000002
【特許請求の範囲】
【請求項１】
発電機ハウジング（３１２）用の水素制御システム（２００）であって、
発電機ハウジング（３１２）に流体的に接続された質量流量制御システム（１００）であって、発電機ハウジング（３１２）から抽出されたガス混合物の流量を測定し、ガス混合物の流量をある流量範囲に渡って変更するように構成された質量流量制御システム（１００）と、
質量流量制御システム（１００）に流体的に接続された排気口導管（１０８）であって、質量流量制御システム（１００）からガス混合物の一部を受け取り、ガス混合物の一部を出口に送るための排気口導管（１０８）と、を備える水素制御システム（２００）。
【請求項２】
発電機ハウジング（３１２）に動作可能に接続された純度モニタリング・システム（ＰＭＳ）（２０４）であって、発電機ハウジング（３１２）における環境条件をモニタするＰＭＳ（２０４）をさらに備える請求項１に記載の水素制御システム（２００）。
【請求項３】
質量流量制御システム（１００）は、ＰＭＳ（２０４）から受け取った信号に基づいてガス混合物の流量を調整する請求項２に記載の水素制御システム（２００）。
【請求項４】
質量流量制御システム（１００）は、少なくとも１つの質量流量制御バルブ（１１０）であって、ガス混合物の流量をある流量範囲に渡って変更するための少なくとも１つの質量流量制御バルブ（１１０）を備える請求項３に記載の水素制御システム（２００）。
【請求項５】
排気口導管（１０８）および発電機ハウジング（３１２）と流体接続しているソレノイド・バルブ（１１２）であって、ガス混合物が、少なくとも１つの質量流量制御バルブ（１１０）が流量をある流量範囲に渡って変更することをしないことに応答して、少なくとも１つの質量流量制御バルブ（１１０）を迂回できるようにするソレノイド・バルブ（１１２）をさらに備える請求項４に記載の水素制御システム（２００）。
【請求項６】
発電機ハウジング（３１２）に流体的に接続され、ＰＭＳ（２０４）に動作可能に接続された水素源（１０６）であって、ＰＭＳ（２０４）からの信号に応答して清浄な水素を発電機ハウジング（３１２）に提供する水素源（１０６）をさらに備える請求項３に記載の水素制御システム（２００）。
【請求項７】
ハウジング（３１２）は、前部（３０６）、中央部（３０８）、および後部（３１０）を有し、ＰＭＳ（２０４）は、発電機ハウジング（３１２）の前部（３０６）、発電機ハウジング（３１２）の後部（３１０）、および発電機ハウジング（３１２）の中央部（３０８）のうちの少なくとも１つに独立に動作可能に接続された少なくとも２つの解析器（３０４）を備える請求項２に記載の水素制御システム（２００）。
【請求項８】
少なくとも２つの解析器（３０４）はそれぞれ、発電機ハウジング（３１２）の前部（３０６）、発電機ハウジング（３１２）の後部（３１０）、または発電機ハウジング（３１２）の中央部（３０８）の１つを実質的に同時にモニタする請求項７に記載の水素制御システム（２００）。
【請求項９】
タービン（２０８）と、
タービン（２０８）に動作可能に接続された発電機（２０２）であって、ガス混合物を収容するハウジング（３１２）を備える発電機（２０２）と、
ハウジング（３１２）に流体的に接続された純度モニタリング・システム（ＰＭＳ）（２０４）であって、ガス混合物中の水素の純度をモニタするＰＭＳ（２０４）と、
ハウジング（３１２）に流体的に接続された質量流量制御システム（１００）であって、ハウジング（３１２）から抽出されたガス混合物の流量を測定し、ガス混合物の流量をある流量範囲に渡って変更するように構成された質量流量制御システム（１００）と、
質量流量制御システム（１００）に流体的に接続された排気口導管（１０８）であって、質量流量制御システム（１００）からガス混合物の一部を受け取り、ガス混合物の一部を出口に送る排気口導管（１０８）と、を備える発電システム（２２０）。
【請求項１０】
ガス・タービン（４０２）と、
ガス・タービン（４０２）に動作可能に接続された熱回収蒸気発生器（ＨＲＳＧ）（４０４）と、
ＨＲＳＧ（４０４）に動作可能に接続された蒸気タービン（４０６）と、ガス・タービン（４０２）または蒸気タービン（４０６）の少なくとも一方に動作可能に接続された発電機（２０２）であって、ガス混合物を収容するハウジング（３１２）を備える発電機（２０２）と、
発電機（２０２）に流体的に接続された純度モニタリング・システム（ＰＭＳ）（２０４）であって、ガス混合物中の水素の純度をモニタするＰＭＳ（２０４）と、
ハウジング（３１２）に流体的に接続された質量流量制御システム（１００）であって、ハウジング（３１２）から抽出されたガス混合物の流量を測定し、ガス混合物の流量をある流量範囲に渡って変更するように構成された質量流量制御システム（１００）と、
質量流量制御システム（１００）に流体的に接続された排気口導管（１０８）であって、質量流量制御システム（１００）からガス混合物の一部を受け取り、ガス混合物の一部を出口に送る排気口導管（１０８）と、を備える複合サイクル発電システム（４００、５００）。
【発明の詳細な説明】
【技術分野】
【０００１】
本明細書で開示する主題は、水素冷却発電機に関し、より詳細には、水素冷却発電機における水素流および純度を制御するためのシステムに関する。
【背景技術】
【０００２】
一部の発電所システム、たとえば、ある特定の原子力単純サイクルおよび複合サイクル発電所システムでは、発電機用の冷媒として水素を用いている。発電機は動作中に大量の熱を発生させる。水素の高熱容量、低密度、および風損を減らせる能力のおかげで、発電機の出力および全体システムの効率が向上する。これらの特性があるために、発電機内では高レベルの水素純度を保持することが望ましい。しかし、これらの発電機において水素の純度を保持することは通常、費用がかかる。発電所システムの中には、水素を、掃気（ｓｃａｖｅｎｇｉｎｇ）システムを介して取り除くものがある。掃気システムは、ガス混合物の一部を発電機またはドレイン拡大部分の中から取り出して、ガス混合物の一部を周囲に逃がし、その代わりに清浄な水素を入れるものである。これらのシステムでは、手動調整のニードル・バルブの組を用いて、掃気システムを通るガスの流れを調整している。
【先行技術文献】
【特許文献】
【０００３】
【特許文献１】米国特許第７，５５０，１１３号明細書
【発明の概要】
【発明が解決しようとする課題】
【０００４】
これらの手動調整のニードル・バルブは、発電機から外へ出る水素の流れを正確には制御しないため、発電機の運転が非効率になる場合がある。
【課題を解決するための手段】
【０００５】
発電所システムにおける水素純度を制御するためのシステムが開示される。一実施形態においては、発電機ハウジング用の水素制御システムが、発電機ハウジングに流体的に接続された質量流量制御システムであって、発電機ハウジングから抽出されたガス混合物の流量を測定し、ガス混合物の流量をある流量範囲に渡って変更するように構成された質量流量制御システムと、質量流量制御システムに流体的に接続された排気口導管（ｖｅｎｔ  ｃｏｎｄｕｉｔ）であって、質量流量制御システムからガス混合物の一部を受け取り、ガス混合物の一部を出口に送るための排気口導管と、を備えている。
【０００６】
本開示の第１の態様によって、発電機ハウジング用の水素制御システムであって、発電機ハウジングに流体的に接続された質量流量制御システムであって、発電機ハウジングから抽出されたガス混合物の流量を測定し、ガス混合物の流量をある流量範囲に渡って変更するように構成された質量流量制御システムと、質量流量制御システムに流体的に接続された排気口導管であって、質量流量制御システムからガス混合物の一部を受け取り、ガス混合物の一部を出口に送るための排気口導管と、を備える発電機ハウジング用の水素制御システムが提供される。
【０００７】
第２の態様によって、タービンと、タービンに動作可能に接続された発電機であって、ガス混合物を収容するハウジングを備える発電機と、ハウジングに流体的に接続された純度モニタリング・システム（ＰＭＳ）であって、ガス混合物中の水素の純度をモニタするためのＰＭＳと、発電機ハウジングからガス混合物を受け取るための入口と、発電機ハウジングに流体的に接続された質量流量制御システムであって、発電機ハウジングから抽出されたガス混合物の流量を測定し、ガス混合物の流量をある流量範囲に渡って変更するように構成された質量流量制御システムと、質量流量制御システムに流体的に接続された排気口導管であって、質量流量制御システムからガス混合物の一部を受け取り、ガス混合物の一部を出口に送る排気口導管と、を備える発電システムが提供される。
【０００８】
第３の態様によって、ガス・タービンと、ガス・タービンに動作可能に接続された熱回収蒸気発生器（ＨＲＳＧ）と、ＨＲＳＧに動作可能に接続された蒸気タービンと、ガス・タービンまたは蒸気タービンの少なくとも一方に動作可能に接続された発電機であって、ガス混合物を収容するハウジングを備える発電機と、ハウジングに流体的に接続された純度モニタリング・システム（ＰＭＳ）であって、ガス混合物中の水素の純度をモニタするためのＰＭＳと、発電機ハウジングに流体的に接続された質量流量制御システムであって、発電機ハウジングから抽出されたガス混合物の流量を測定し、ガス混合物の流量をある流量範囲に渡って変更するように構成された質量流量制御システムと、質量流量制御システムに流体的に接続された排気口導管であって、質量流量制御システムからガス混合物の一部を受け取り、ガス混合物の一部を出口に送る排気口導管と、を備える複合サイクル発電システムが提供される。
【０００９】
本発明のこれらおよび他の特徴は、本発明の種々の態様の以下の詳細な説明とともに本発明の種々の実施形態を示す添付図面からより容易に理解される。
【図面の簡単な説明】
【００１０】
【図１】本発明の態様による水素制御システムの実施形態の概略図を示す図である。
【図２】本発明の態様による発電システムの実施形態の概略図を示す図である。
【図３】本発明の態様による純度モニタリング・システムの実施形態の概略図を示す図である。
【図４】本発明の実施形態による複合サイクル発電所システムの部分を例示する概略的なブロック図を示す図である。
【図５】本発明の実施形態による複合サイクル発電所システムの部分を例示する概略的なブロック図を示す図である。
【発明を実施するための形態】
【００１１】
本開示の図面は一定の縮尺ではないことを注意されたい。図面は、本開示の典型的な態様のみを示すことが意図されており、したがって本開示の範囲を限定するものと考えてはならない。図面において、同様の番号付けは図面間で同様の要素を表わしている。
【００１２】
前述したように、本発明の態様によって、水素冷却発電機における水素の流れおよび純度を、質量流量制御システムを用いて制御することが提供される。質量流量制御システムが、排気口導管へのガス混合物の流量をある流量範囲に渡って測定および変更する結果、システムの掃気レートの正確な制御を介してシステム内の平均水素純度レベルが上がる。
【００１３】
発電システム（たとえば、原子炉、蒸気タービン、ガス・タービンなどを含む）の分野において、水素冷却発電機が、システムの一部として用いられることが多く、掃気システムを備えている場合がある。通常、掃気システムでは、手動調整のニードル・バルブの組と少なくとも１つのソレノイド・バルブとを用いて、掃気システムを通るガスの流量を調整する。少なくとも１つのソレノイド・バルブは、発電機内の水素純度読み取り値に基づいて開閉するようにデザインされており、開口は、純度が所定の純度読み取り値を下回ったときであり、閉鎖は、純度が第２の所定の純度読み取り値を上回ったときである。しかし、誤差範囲がシステムに入り込まざるを得ない。なぜならば、この調節システムの許容範囲は不十分で制御が不正確だからである。このような誤差範囲があるせいで、２つの所定の純度点を、発電機に対する最適な純度範囲からはるか外側に手動で設定する必要があり、流れ／掃気のレートに施すべき調整に対する特定のシステムの最適な純度レベルから著しくずらす必要がある。このため、鋸歯状パターンの純度レベルが作られ、その結果、平均純度レベルが望ましくないほどに低くなり、システム効率が望ましくないほどに低くなる。発電機における平均水素純度レベルが低くなると、大きな熱損失および風損が生じることによって、発電システムの全体的効率が損なわれる。
【００１４】
図を参照して、質量流量制御システムを備える水素制御システムの実施形態を示す。質量流量制御システムは、水素制御システムおよび全体的な発電システムの効率を、掃気質量流量をある流量範囲に渡って調整することによって増加させる場合がある。図中の構成要素はそれぞれ、従来の手段を介して、たとえば共通の導管または他の知られた手段（図１〜５において矢印で示す）を介して、接続しても良い。具体的には、図１を参照して、質量流量制御システム１００の実施形態の概略図を示す。質量流量制御システム１００は、入口１０２、質量流量制御バルブ１１０、バイパス・バルブ１１２、および排気口導管１０８を備えていても良い。質量流量制御システム１００は、発電機２０２からの抽出されたガス混合物を入口１０２を介して受け取っても良い。入口１０２は、ガス混合物を質量流量制御システム１００に送るための任意の従来の導管であっても良い。質量流量制御システム１００は、入口１０２を通るガス混合物の流量を測定し、ガス混合物の流量を、以下でさらに説明する仕方で変更しても良い。排気口導管１０８は、変更された流量ガス混合物を質量流量制御システム１００から受け取って、ガス混合物を周囲に出力しても良い。
【００１５】
本発明の一実施形態においては、質量流量制御システム１００は、入口１０２を通るガス混合物の流量をある流量範囲に渡って変更する場合がある少なくとも１つの質量流量制御バルブ１１０を備えている。少なくとも１つの質量流量制御バルブ１１０は、当該技術分野で知られる従来の質量流量制御バルブ（たとえば、バタフライ・バルブ、グローブ・バルブなど）であっても良い。一実施形態として、少なくとも１つの質量流量制御バルブ１１０が、流量の変更をある流量範囲に渡って適切に行なうことをしない場合には、質量流量制御バルブ１１０は閉じて、質量流量制御バルブ１１０を通るガス混合物の流れを停止する。障害の原因には、油汚染、信号損失、電力損失などが含まれていても良い。一実施形態においては、質量流量制御システム１００は、少なくとも１つの質量流量制御バルブ１１０と少なくとも１つの予備ソレノイド・バルブ１１２とを備え、これらは独立に入口１０２および排気口導管１０８のそれぞれと流体接続していても良い。ソレノイド・バルブ１１２は、通常動作の間、閉じていても良い。しかし、少なくとも１つの質量流量制御バルブ１１０が、ガス混合物の流量をある流量範囲に渡って変更することをしない場合（たとえば、前述した障害の場合）には、それに応答して、ソレノイド・バルブ１１２が開いて、ガス混合物が少なくとも１つの質量流量制御バルブ１１０を迂回できるようにしても良い。
【００１６】
本明細書の一実施形態においては、質量流量制御システム１００は、質量流量制御バルブ１１０に結合された質量流量計１１６を、ガス混合物の質量流量を測定するために備えていても良い。一実施形態においては、質量流量計１１６は、従来の熱散逸型質量流量計を含んでいても良い。別の実施形態においては、質量流量計１１６は、従来のコリオリ質量流量計を含んでいても良い。これらの質量流量計は単に実施例であり、質量流量計は、当該技術分野で知られる任意のタイプの従来の質量流量計であっても良いことが分かる。
【００１７】
図２を参照して、発電システム２２０の実施形態の概略図を示す。発電システム２２０は、タービン２０８に動作可能に接続されて水素制御システム２００に流体的に接続された発電機２０２を備えていても良い。発電機２０２は、当該技術分野で知られるように、ガス混合物（たとえば水素）を収容しても良い発電機ハウジング（または単にハウジング）３１２を備えていても良い。この実施形態においては、水素制御システム２００は、図１の質量流量制御システム１００を参照して図示および記載した構成要素を備えていても良い。水素制御システム２００はさらに、純度モニタリング・システム（ＰＭＳ）２０４（図１に想像箱（ｐｈａｎｔｏｍ  ｂｏｘ）で示す）を備えていても良い。より具体的には、水素制御システム２００は、ＰＭＳ２０４、入口１０２、質量流量制御システム１００、および排気口導管１０８を備えていても良い。この実施形態においては、質量流量制御システム１００を、排気口導管１０８および発電機２０２に流体的に接続しても良く（図１を参照して同様に記載されたように）、ＰＭＳ２０４に動作可能に接続しても良い（たとえば、有線または無線手段を介して電気的に、レバーまたは駆動部を介して機械的に、知られている電気的および機械的構成要素または任意の他の知られた手段の組み合わせを介して電気機械的に）。またＰＭＳ２０４を、ハウジング３１２に、たとえば従来の導管（番号付けは省く）を介して流体的に接続しても良い。ＰＭＳ２０４は、ハウジング３１２内での水素の純度レベルをモニタして、純度読み取り値信号を質量流量制御システム１００に出力しても良い。質量流量制御システム１００は、ハウジング３１２からのガス混合物の一部を入口１０２を通して受け取って、ハウジング３１２から抽出されて排気口導管１０８に送られるガス混合物の流量を、ＰＭＳ２０４から受信した信号に基づいて変更しても良い。たとえば、ＰＭＳ２０４から質量流量制御システム１００に送られた信号が、ハウジング３１２内の水素純度が所望のレベルの水素純度を下回っていることを示す場合、質量流量制御システム１００は、システムを通る質量流量を増加させても良い。別の例として、ＰＭＳ２０４から質量流量制御システム１００に送られた信号が、ハウジング３１２内の水素純度が所望のレベルの水素純度を上回っていることを示す場合、質量流量制御システム１００は、システムを通る質量流量を減少させても良い。排気口導管１０８はさらに、ＰＭＳ２０４からのガス混合物の第２の部分を受け取って、第２の部分を出口（たとえば周囲空気）に送るように構成されていても良い。一実施形態においては、ＰＭＳ２０４は、信号を外部データベース２１６（想像箱で示す）に、たとえば無線または有線手段を介して送信するための構成要素を備えていても良い。外部データベース２１６を、ＰＭＳ２０４から送信されたデータを記憶および／または解析するために用いても良い。解析には、診断解析、効率解析、制御解析などが含まれていても良い。別の実施形態においては、ＰＭＳ２０４を水素源１０６に、水素制御システム２００（想像箱で示す）を介して動作可能に接続しても良い。水素源１０６をハウジング３１２に、従来の導管を介して流体的���接続しても良く、清浄な水素をハウジング３１２に、ＰＭＳ２０４からの信号に応答して供給しても良い。
【００１８】
図３を参照して、図２のＰＭＳ２０４の実施形態の概略図を示す。一実施形態によれば、ＰＭＳ２０４は、少なくとも２つの解析器３０４に動作可能に接続された純度モニタ３０２を備えていても良い。解析器３０４を、複数のサンプリング点（たとえば、サンプリング・タップ）３１５、３１６、３１７に動作可能に接続しても良い。これらは、ハウジング３１２内に配置されていても良い。当然のことながら、任意の数のサンプリング点および解析器を、本発明の実施形態により用いても良い。サンプリング点を、ハウジング内に任意のパターンで位置させても良い（たとえば、すべてのサンプリング点がハウジングの単一の部分内に配置されている、すべてのサンプリング点がハウジングの部分全体に渡って一様に配置されている、すべてのサンプリング点がハウジングの部分の一部にのみあるなど）。サンプリング点３１５、３１６、３１７は、ハウジング３１２内の環境条件（たとえば、温度、圧力、水素純度など）についての読み取り値（たとえば、ガス試料）を解析器３０４に与えても良く、解析器３０４では読み取り値を解析してモニタ３０２に中継しても良い。当然のことながら、解析器３０４は、当該技術分野で知られる任意のサイズまたはタイプであっても良く、解析器３０４が接続されるそれらの応用例またはシステムに応じて異なっていても良い。解析器３０４の共通の番号付けは、明瞭にするためであり、必ずしもこれらの解析器３０４が同一であることを示唆するものではない。一実施形態においては、ハウジング３１２は、前部３０６、中央部３０８、および後部３１０を備えていても良い。図示したように、サンプリング点３１５、３１６、３１７を、少なくとも２つの解析器３０４に独立に動作可能に接続しても良く、その配置を、少なくとも１つのサンプリング点３１５、３１６、３１７が前部３０６、中央部３０８、および後部３１０のそれぞれの中にあるように行なっても良い。より具体的には、少なくとも２つの解析器３０４をそれぞれ、単一のサンプリング点に接続して、アラーム状態（たとえば、低い水素純度レベル読み取り値）のときに、各解析器３０４が、同じサンプリング点３１５、３１６、または３１７を実質的に同時に読み取り、その結果、２つの比較可能な読み取り値が同じサンプリング点において得られるようにしても良い。当然のことながら、複数の解析器を各サンプリング点に接続することによって、とりわけ特定の解析器における障害診断を可能にしても良い。たとえば、解析器３０４のうち２つが、同じサンプリング点（たとえば、３１５、３１６、３１７）から得られる実質的に別個の読み取り値を観察する場合、解析器３０４のうち一方が障害を被っていても良い。各サンプリング点の冗長解析を行なうことによって、システム障害の検出がより効率的になる場合がある。
【００１９】
図４を参照して、多軸形複合サイクル発電所４００の部分の概略図を示す。複合サイクル発電所４００は、たとえば、発電機２０２に動作可能に接続されたガス・タービン４０２を備えていても良い。発電機２０２を、図１の質量流量制御システム１００（もしくは図２の水素制御システム２００、または本明細書に記載した他の実施形態）に流体的に接続しても良い。発電機２０２およびガス・タービン４０２を、シャフト４０７を介して機械的に結合しても良く、その結果、ガス・タービン４０２のドライブ・シャフト（図示せず）と発電機２０２との間でエネルギーを伝えても良い。また図４に示すのは、ガス・タービン４０２と蒸気タービン４０６とに動作可能に接続された熱交換器４０４である。熱交換器４０４を、ガス・タービン４０２および蒸気タービン４０６の両方に、従来の導管（番号付けを省く）を介して流体的に接続しても良い。熱交換器４０４は、従来の熱回収蒸気発生器（ＨＲＳＧ）（たとえば従来の複合サイクル発電システムにおいて用いられるもの）であっても良い。発電の分野で知られるように、ＨＲＳＧ４０４は、ガス・タービン４０２からの高温排気を、給水と組み合わせて用いて、蒸気タービン４０６に供給する蒸気を形成しても良い。蒸気タービン４０６を任意的に、第２の発電機システム２０２に結合しても良い（第２のシャフト４０９を介して）。当然のことながら、発電機２０２は、当該技術分野で知られる任意のサイズまたはタイプであっても良く、発電機２０２が接続されるそれらの応用例またはシステムに応じて異なっていても良い。発電機の共通の番号付けは、明瞭にするためであり、必ずしもこれらの発電機が同一であることを示唆するものではない。発電機システム２０２および第２のシャフト４０９は、前述の発電機システム２０２およびシャフト４０７と実質的に同様に動作しても良い。図５に示す別の実施形態においては、一軸形複合サイクル発電所５００が単一の発電機２０２を備え、これがガス・タービン４０２および蒸気タービン４０６の両方に単一のシャフト４０７を介して結合されていても良い。
【００２０】
本開示の水素制御システムは、いずれか一つの特定の発電機、発電システム、または他のシステムに限定されるものではなく、他の発電システムおよび／またはシステム（たとえば、複合サイクル、単純サイクル、原子炉など）とともに用いても良い。さらに加えて、本発明の水素制御システムを、本明細書に記載していない他のシステムであって、本明細書に記載した質量流量制御システムおよび水素制御システムの流れおよび純度制御から利益を得る場合があるシステムとともに用いても良い。
【００２１】
本明細書で用いた専門用語は、特定の実施形態を記載することのみを目的とするものであり、本開示を限定することを意図してはいない。本明細書で用いる場合、単数形「ａ」、「ａｎ」、および「ｔｈｅ」は、文脈が明らかに他の意味を示す場合を除き、複数形も含むことを意図している。さらに当然のことながら、用語「備える（ｃｏｍｐｒｉｓｅｓ）」および／または「備えている（ｃｏｍｐｒｉｓｉｎｇ）」は、本明細書で用いる場合、記載した特徴、整数、ステップ、動作、要素、および／または構成部品の存在を特定しているが、１または複数の他の特徴、整数、ステップ、動作、要素、構成部品、および／またはそのグループの存在または付加を排除するものではない。
【００２２】
この書面の説明では、実施例を用いて、ベスト・モードを含む本発明を開示するとともに、どんな当業者も本発明を実施できるように、たとえば任意の装置またはシステムを作りおよび用いること、ならびに取り入れた任意の方法を実行することができるようにしている。本発明の特許可能な範囲は、請求項によって規定されるとともに、当業者に想起される他の実施例を含んでいても良い。このような他の実施例は、請求項の文字通りの言葉使いと違わない構造要素を有するか、または請求項の文字通りの言葉使いとの差が非実質的である均等な構造要素を含む場合には、請求項の範囲内であることが意図されている。
【図１】
2011182635.tif 000003
【図２】
2011182635.tif 000004
【図３】
2011182635.tif 000005
【図４】
2011182635.tif 000006
【図５】
2011182635.tif 000007